(57)【特許請求の範囲】
【請求項１】
電話番号を記憶する電話帳記憶手段を有する電話帳管理システムであって、
通話相手の電話番号と前記通話相手の声を特定する音声情報とを対応付けて記憶する通話履歴記憶手段と、
前記通話履歴記憶手段に記憶された前記通話相手の電話番号と同じ電話番号が前記電話帳記憶手段に記憶されているか前記電話帳記憶手段を検索し、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録手段と、
を有し、
前記登録手段は、
前記電話帳記憶手段にて前記通話相手の電話番号と同じ電話番号に既に音声情報が対応付けられている場合は、前記電話帳記憶手段に既に対応付けされている音声情報と、前記電話帳記憶手段に新たに登録する音声情報と、を照合し、照合結果を通知し、
双方の音声情報が異なる人物の音声情報と判定された照合結果の場合は、前記新たに登録する音声情報を、前記既に対応付けされている音声情報とは異なる別のグループで前記電話帳記憶手段に登録する、ことを特徴とする電話帳管理システム。
【請求項２】
電話番号を記憶する電話帳記憶手段を有する電話帳管理システムであって、
通話相手の電話番号と前記通話相手の声を特定する音声情報とを対応付けて記憶する通話履歴記憶手段と、
前記通話履歴記憶手段に記憶された前記通話相手の電話番号と同じ電話番号が前記電話帳記憶手段に記憶されているか前記電話帳記憶手段を検索し、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録手段と、
を有し、
前記登録手段は、
前記通話相手の電話番号と同じ電話番号が前記電話帳記憶手段に記憶されていない場合は、前記通話相手の電話番号と同じ電話番号が、過去の通話履歴として他にも前記通話履歴記憶手段に記憶されているか検索し、
前記通話相手の電話番号と同じ電話番号が他にも前記通話履歴記憶手段に記憶されている場合は、双方の電話番号に対応付けられた音声情報を照合し、照合結果を通知する、ことを特徴とする電話帳管理システム。
【請求項３】
電話番号を記憶する電話帳記憶手段を有する電話帳管理システムであって、
通話相手の電話番号と前記通話相手の声を特定する音声情報とを対応付けて記憶する通話履歴記憶手段と、
前記通話履歴記憶手段に記憶された前記通話相手の電話番号と同じ電話番号が前記電話帳記憶手段に記憶されているか前記電話帳記憶手段を検索し、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録手段と、
を有し、
前記登録手段は、
前記電話帳記憶手段に新規の電話番号を登録する場合に、前記新規の電話番号と同じ電話番号が前記通話履歴記憶手段に記憶されているか検索し、
前記新規の電話番号と同じ電話番号が前記通話履歴記憶手段に記憶されている場合は、前記通話履歴記憶手段にて前記新規の電話番号と同じ電話番号に対応付けられている音声情報を、前記新規の電話番号に対応付けて前記電話帳記憶手段に登録する、ことを特徴とする電話帳管理システム。
【請求項４】
前記登録手段は、
前記新規の電話番号に対応付けられた前記音声情報と同一人物として判定される音声情報が前記新規の電話番号とは異なる別の電話番号に対応付けられているか、前記通話履歴記憶手段と、前記電話帳記憶手段と、の少なくとも１つの記憶手段を検索し、検索結果を通知し、
前記同一人物として判定される音声情報が前記別の電話番号に対応付けられている検索結果の場合は、前記新規の電話番号と前記別の電話番号とを対応付ける、ことを特徴とする請求項３記載の電話帳管理システム。
【請求項５】
電話番号を記憶する電話帳記憶手段を有する電話帳管理システムであって、
通話相手の電話番号と前記通話相手の声を特定する音声情報とを対応付けて記憶する通話履歴記憶手段と、
前記通話履歴記憶手段に記憶された前記通話相手の電話番号と同じ電話番号が前記電話帳記憶手段に記憶されているか前記電話帳記憶手段を検索し、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録手段と、
を有し、
前記登録手段は、
前記電話帳記憶手段に記憶された電話番号に対し、追加の電話番号を追加登録する場合に、前記追加の電話番号と同じ電話番号が前記通話履歴記憶手段に記憶されているか検索し、
前記追加の電話番号と同じ電話番号が前記通話履歴記憶手段に記憶されている場合は、前記通話履歴記憶手段にて前記追加の電話番号と同じ電話番号に対応付けられた音声情報と、前記電話帳記憶手段にて前記追加の電話番号を追加登録する対象の電話番号に対応付けられている音声情報と、を照合し、
双方の音声情報が異なる人物の音声情報と判定された場合は、前記追加の電話番号を注意が必要な注意対象電話番号のグループとして前記電話帳記憶手段に登録すると共に、前記追加の電話番号と同じ電話番号に対応付けられた音声情報を前記電話帳記憶手段に登録する、ことを特徴とする電話帳管理システム。
【請求項６】
電話番号を記憶する電話帳記憶手段を有する電話帳管理システムであって、
通話相手の電話番号と前記通話相手の声を特定する音声情報とを対応付けて記憶する通話履歴記憶手段と、
前記通話履歴記憶手段に記憶された前記通話相手の電話番号と同じ電話番号が前記電話帳記憶手段に記憶されているか前記電話帳記憶手段を検索し、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録手段と、
を有し、
前記登録手段は、
前記電話帳記憶手段に記憶された電話番号を変更する場合に、変更後の電話番号と同じ電話番号が前記通話履歴記憶手段に記憶されているか検索し、
変更後の電話番号と同じ電話番号が前記通話履歴記憶手段に記憶されている場合は、前記通話履歴記憶手段にて前記変更後の電話番号と同じ電話番号に対応付けられた音声情報と、前記電話帳記憶手段にて変更対象の電話番号に対応付けられている音声情報と、を照合し、
双方の音声情報が異なる人物の音声情報と判定された場合は、前記変更対象の電話番号を前記変更後の電話番号に変更せずに、前記変更後の電話番号を注意が必要な注意対象電話番号のグループとして前記電話帳記憶手段に登録すると共に、前記変更後の電話番号と同じ電話番号に対応付けられた音声情報を前記電話帳記憶手段に登録する、ことを特徴とする電話帳管理システム。
【請求項７】
前記注意対象電話番号のグループとして前記電話帳記憶手段に登録された電話番号と同じ電話番号からの着信があると、注意電話番号である旨の通知をする通知手段を有する、ことを特徴とする請求項５または請求項６に記載の電話帳管理システム。
【請求項８】
請求項１から請求項７のいずれか１項に記載の電話帳管理システムが備える電話帳管理装置であって、
前記電話帳記憶手段と、
前記登録手段と、
を有する、ことを特徴とする電話帳管理装置。
【請求項９】
電話番号を記憶する電話帳記憶手段を有する電話帳管理装置での電話帳管理方法であって、
通話相手の電話番号と前記通話相手の声を特定する音声情報とを対応付けて記憶する通話履歴記憶手段に記憶された前記通話相手の電話番号と同じ電話番号が前記電話帳記憶手段に記憶されているか前記電話帳記憶手段を検索する電話帳検索ステップと、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録ステップと、
前記登録ステップにて、前記電話帳記憶手段にて前記通話相手の電話番号と同じ電話番号に既に音声情報が対応付けられている場合は、前記電話帳記憶手段に既に対応付けされている音声情報と、前記電話帳記憶手段に新たに登録する音声情報と、を照合し、照合結果を通知する照合ステップと、
前記照合ステップにて、双方の音声情報が異なる人物の音声情報と判定された照合結果の場合は、前記新たに登録する音声情報を、前記既に対応付けされている音声情報とは異なる別のグループで前記電話帳記憶手段に登録する別グループ登録ステップと、
を有することを特徴とする電話帳管理方法。
【請求項１０】
電話番号を記憶する電話帳記憶手段を有する電話帳管理装置での電話帳管理方法であって、
通話相手の電話番号と前記通話相手の声を特定する音声情報とを対応付けて記憶する通話履歴記憶手段に記憶された前記通話相手の電話番号と同じ電話番号が前記電話帳記憶手段に記憶されているか前記電話帳記憶手段を検索する電話帳検索ステップと、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録ステップと、
前記通話相手の電話番号と同じ電話番号が前記電話帳記憶手段に記憶されていない場合は、前記通話相手の電話番号と同じ電話番号が、過去の通話履歴として他にも前記通話履歴記憶手段に記憶されているか検索する履歴検索ステップと、
前記通話相手の電話番号と同じ電話番号が他にも前記通話履歴記憶手段に記憶されている場合は、双方の電話番号に対応付けられた音声情報を照合し、照合結果を通知する照合ステップと、を有することを特徴とする電話帳管理方法。
【請求項１１】
電話番号を記憶する電話帳記憶手段を有する電話帳管理装置での電話帳管理方法であって、
通話相手の電話番号と前記通話相手の声を特定する音声情報とを対応付けて記憶する通話履歴記憶手段に記憶された前記通話相手の電話番号と同じ電話番号が前記電話帳記憶手段に記憶されているか前記電話帳記憶手段を検索する電話帳検索ステップと、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録ステップと、
前記電話帳記憶手段に新規の電話番号を登録する場合に、前記新規の電話番号と同じ電話番号が前記通話履歴記憶手段に記憶されているか検索する履歴検索ステップと、
前記新規の電話番号と同じ電話番号が前記通話履歴記憶手段に記憶されている場合は、前記通話履歴記憶手段にて前記新規の電話番号と同じ電話番号に対応付けられている音声情報を、前記新規の電話番号に対応付けて前記電話帳記憶手段に登録する新規登録ステップと、を有することを特徴とする電話帳管理方法。
【請求項１２】
電話番号を記憶する電話帳記憶手段を有する電話帳管理装置での電話帳管理方法であって、
通話相手の電話番号と前記通話相手の声を特定する音声情報とを対応付けて記憶する通話履歴記憶手段に記憶された前記通話相手の電話番号と同じ電話番号が前記電話帳記憶手段に記憶されているか前記電話帳記憶手段を検索する電話帳検索ステップと、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録ステップと、
前記電話帳記憶手段に記憶された電話番号に対し、追加の電話番号を追加登録する場合に、前記追加の電話番号と同じ電話番号が前記通話履歴記憶手段に記憶されているか検索する履歴検索ステップと、
前記追加の電話番号と同じ電話番号が前記通話履歴記憶手段に記憶されている場合は、前記通話履歴記憶手段にて前記追加の電話番号と同じ電話番号に対応付けられた音声情報と、前記電話帳記憶手段にて前記追加の電話番号を追加登録する対象の電話番号に対応付けられている音声情報と、を照合する照合ステップと、
双方の音声情報が異なる人物の音声情報と判定された場合は、前記追加の電話番号を注意が必要な注意対象電話番号のグループとして前記電話帳記憶手段に登録すると共に、前記追加の電話番号と同じ電話番号に対応付けられた音声情報を前記電話帳記憶手段に登録する注意登録ステップと、を有することを特徴とする電話帳管理方法。
【請求項１３】
電話番号を記憶する電話帳記憶手段を有する電話帳管理装置での電話帳管理方法であって、
通話相手の電話番号と前記通話相手の声を特定する音声情報とを対応付けて記憶する通話履歴記憶手段に記憶された前記通話相手の電話番号と同じ電話番号が前記電話帳記憶手段に記憶されているか前記電話帳記憶手段を検索する電話帳検索ステップと、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録ステップと、
前記電話帳記憶手段に記憶された電話番号を変更する場合に、変更後の電話番号と同じ電話番号が前記通話履歴記憶手段に記憶されているか検索する履歴検索ステップと、
変更後の電話番号と同じ電話番号が前記通話履歴記憶手段に記憶されている場合は、前記通話履歴記憶手段にて前記変更後の電話番号と同じ電話番号に対応付けられた音声情報と、前記電話帳記憶手段にて変更対象の電話番号に対応付けられている音声情報と、を照合する照合ステップと、
双方の音声情報が異なる人物の音声情報と判定された場合は、前記変更対象の電話番号を前記変更後の電話番号に変更せずに、前記変更後の電話番号を注意が必要な注意対象電話番号のグループとして前記電話帳記憶手段に登録すると共に、前記変更後の電話番号と同じ電話番号に対応付けられた音声情報を前記電話帳記憶手段に登録する注意登録ステップと、を有することを特徴とする電話帳管理方法。
【請求項１４】
請求項９から請求項１３のいずれか１項に記載の電話帳管理方法を、記憶装置を有するコンピュータに実行させて、前記記憶装置を前記電話帳記憶手段として機能させるプログラム。
【発明の詳細な説明】
【技術分野】
【０００１】
本発明は、電話番号などで構成する電話帳を管理する技術に関する。
【背景技術】
【０００２】
近年、子供や孫などの近親者に成りすまして電話をかけ、金品を騙し取る犯罪行為が増加しており、社会問題となっている。警察なども国民に注意を促しているが、なかなか犯罪行為が減少していないのが現状である。
【０００３】
この手の犯罪を防止するための技術として、例えば、特許文献１（特開２００６−３８９５５号公報）には、通話相手の声紋データを用いて詐欺を防止する技術が開示されている。
【０００４】
特許文献１では、通話相手を特定するための声紋データを声紋登録データベースに予め登録しておく。そして、通話時に、通話相手の音声データの声紋データと、声紋登録データベースに記憶された声紋データと、を照合し、照合結果を通話者に通知している。これにより、声紋データが一致した旨の照合結果である場合は、通話相手は声紋登録データベースに登録された相手であるため、通話者は安心して通話を続けることができる。また、声紋データが一致しない旨の照合結果である場合は、通話相手は声紋登録データベースに登録された相手ではないため、その通話相手が声紋登録データベースに登録された声紋データの人間を装っている場合は、詐欺を行うとしている可能性があると判断することができる。
【先行技術文献】
【特許文献】
【０００５】
【特許文献１】特開２００６−３８９５５号公報
【発明の概要】
【発明が解決しようとする課題】
【０００６】
特許文献１では、声紋データを声紋登録データベースに登録するために、携帯電話機を用いて声紋データの登録要求を声紋認証システムに送信している。声紋認証システムは、登録要求を受け付けた場合に、声紋データの登録対象の携帯電話機と呼接続を確立する。そして、通話相手の音声データを取得し、その取得した音声データの声紋データを声紋登録データベースに登録している。このため、特許文献１では、声紋データを声紋登録データベースに登録する際に工数がかかってしまう。
【０００７】
ところで、一般的な電話機には、電話帳が記憶されており、電話番号と名前とを対応付けて電話帳に登録しておくことで、通話時に通話相手の名前を把握することができる。この電話帳に通話相手の声を特定するための音声情報も登録しておくことで、上述した成りすましの詐欺を防止するのに効果的である。
【０００８】
本発明の目的は、通話相手の声を特定するための音声情報を電話帳に記憶することにある。
【課題を解決するための手段】
【０００９】
本明細書を通じて開示される技術的思想において、上記目的を解決する手段の一つは、
電話番号を記憶する電話帳記憶手段を有する電話帳管理システムであって、
通話相手の電話番号と前記通話相手の声を特定する音声情報とを対応付けて記憶する通話履歴記憶手段と、
前記通話履歴記憶手段に記憶された前記通話相手の電話番号と同じ電話番号が前記電話帳記憶手段に記憶されているか前記電話帳記憶手段を検索し、
前記通話相手の電話番号と同じ電話番号が前記電話帳記憶手段に記憶されている場合は、前記通話履歴記憶手段にて前記通話相手の電話番号に対応付けられている前記音声情報を、前記電話帳記憶手段の前記通話相手の電話番号と同じ電話番号に対応付けて登録する登録手段を有し、
前記登録手段は、
前記電話帳記憶手段にて前記通話相手の電話番号と同じ電話番号に既に音声情報が対応付けられている場合は、前記電話帳記憶手段に既に対応付けされている音声情報と、前記電話帳記憶手段に新たに登録する音声情報と、を照合し、照合結果を通知し、
双方の音声情報が異なる人物の音声情報と判定された照合結果の場合は、前記新たに登録する音声情報を、前記既に対応付けされている音声情報とは異なる別のグループで前記電話帳記憶手段に登録する、ことを特徴とする。
【発明の効果】
【００１０】
本発明によれば、通話相手の声を特定するための音声情報を電話帳に記憶することができる。
【図面の簡単な説明】
【００１１】
【図１】本実施形態の電話機１００の構成例を示す図である。
【図２】通話履歴記憶部１１のデータ構成例を示す図である。
【図３】電話帳記憶部１２のデータ構成例を示す図である。
【図４】通話履歴画面例を示す図である。
【図５】電話帳画面例を示す図である。
【図６】通話履歴記憶部１１に声紋情報を登録する際の処理動作例を示す図である。
【図７】声紋情報を電話帳記憶部１２に登録する際の処理動作例を示す第１の図である。
【図８】声紋情報を電話帳記憶部１２に登録する際の処理動作例を示す第２の図である。
【図９】新規の電話番号を電話帳記憶部１２に登録する際の処理動作例を示す図である。
【図１０】追加の電話番号を電話帳記憶部１２に登録する際の処理動作例を示す図である。
【図１１】電話帳記憶部１２の電話番号を変更する際の処理動作例を示す図である。
【図１２】本実施形態を実現する別の構成例を示す図である。
【発明を実施するための形態】
【００１２】
（本発明の一態様にかかる電話帳管理装置の概要）
まず、図１を参照しながら、本発明の一態様にかかる電話帳管理装置について説明する。図１は、本発明の一態様にかかる電話帳管理装置の構成例を示す。電話帳管理装置としては、図１に示す電話機１００があげられる。
【００１３】
本発明の一態様にかかる電話帳管理装置は、電話番号を記憶する電話帳記憶手段を有する電話帳管理装置である。
【００１４】
本発明の一態様にかかる電話帳管理装置は、登録手段を有して構成する。
【００１５】
登録手段は、通話相手の電話番号と通話相手の声を特定する音声情報とを対応付けて記憶する通話履歴記憶手段に記憶された通話相手の電話番号と同じ電話番号が電話帳記憶手段に記憶されているか電話帳記憶手段を検索する。そして、通話相手の電話番号と同じ電話番号が電話帳記憶手段に記憶されている場合は、通話履歴記憶手段にて通話相手の電話番号に対応付けられている音声情報を、電話帳記憶手段の通話相手の電話番号と同じ電話番号に対応付けて登録する。
【００１６】
通話履歴記憶手段は、通話相手の電話番号と通話相手の声を特定する音声情報とを対応付けて記憶している。このため、本発明の一態様にかかる電話帳管理装置は、通話履歴記憶手段に記憶された通話相手の電話番号と同じ電話番号が電話帳記憶手段に記憶されているか電話帳記憶手段を検索する。そして、通話相手の電話番号と同じ電話番号が電話帳記憶手段に記憶されている場合は、通話履歴記憶手段にて通話相手の電話番号に対応付けられている音声情報を、電話帳記憶手段の通話相手の電話番号と同じ電話番号に対応付けて登録することにしている。
【００１７】
これにより、本発明の一態様にかかる電話帳管理装置は、通話相手の声を特定するための音声情報を効率的に電話帳に記憶することができる。なお、通話履歴記憶手段と電話帳記憶手段との両方に記憶される音声情報は、１つの音声情報のファイルを各記憶手段から論理的に対応付けして共有してもよく、また、各記憶手段ごとに音声情報のファイルを別々に記憶してもよい。ただし、１つの音声情報のファイルを各記憶手段が共有する場合、通話履歴記憶手段にて、既定の時間や既定の記憶件数、記憶容量を超過し、古い通話履歴を消去する際に、電話帳記憶手段にも記憶されている音声情報は消去しないようにする。また、音声情報は、通話相手の声を特定することが可能であれば、特に限定せず、例えば、通話相手が発した音声をデジタルファイルにした音声データや、その音声データを基に作成した声紋情報などを用いることができる。以下、添付図面を参照しながら、本発明の一態様にかかる電話帳管理装置について詳細に説明する。なお、以下の実施形態では、電話帳管理装置の一例として電話機１００を例に、また、音声情報の一例として声紋情報を例に説明する。また、通話履歴記憶手段の一例として通話履歴記憶部１１を例に、また、電話帳記憶手段の一例として電話帳記憶部１２を例に、また、登録手段の一例として登録部２４を例に、また、通知手段の一例として通知部２５を例に説明する。
【００１８】
（第１の実施形態）
＜電話機１００の構成例＞
まず、図１を参照しながら、本実施形態の電話機１００の構成例について説明する。図１は、本実施形態の電話機１００の構成例を示す図である。電話機１００としては、例えば、固定電話機、携帯電話機、スマートフォンなど通話機能を有する各種装置が該当する。
【００１９】
本実施形態の電話機１００は、記憶部１０、制御部２０、通話部３０、表示部４０、操作部５０、音声入力部６０、音声出力部７０を有して構成する。
【００２０】
記憶部１０は、各種情報を記憶する。制御部２０は、電話機１００を制御する。通話部３０は、通話相手の電話機と呼接続を確立し、通話相手との通話を可能にする。表示部４０は、通話相手の電話番号、各種操作内容、各種アラートなどを表示する。表示部４０は、例えば、ディスプレイなどで構成する。操作部５０は、電話機１００を操作する際に使用する各種情報を入力する。また、電話番号や名前などを入力する。操作部５０は、例えば、スイッチなどのボタン形式で構成したり、表示部４０に表示するアイコンなどのタッチパネル形式で構成したりする。音声入力部６０は、音声を入力する。音声入力部６０は、例えば、マイクなどで構成する。音声出力部７０は、音声を出力する。音声出力部７０は、例えば、スピーカなどで構成する。
【００２１】
本実施形態の記憶部１０は、通話履歴記憶部１１、電話帳記憶部１２を有して構成する。
【００２２】
通話履歴記憶部１１は、通話履歴の電話番号に声紋情報を対応付けて記憶する。本実施形態の通話履歴記憶部１１は、図２に示すように、電話番号、日時情報、音声データ、声紋情報を対応付けて記憶する。電話番号は、通話相手の電話番号である。本実施形態において通話相手の電話番号は、電話機１００と通話相手の電話機との間で呼接続を確立した場合に得られる電話番号であり、留守電などで得られる電話番号も含まれる。日時情報は、通話の日時を特定するための情報である。本実施形態では、通話履歴として、電話番号、日時情報を通話履歴記憶部１１に記憶している。ただし、通話履歴は、電話番号、日時情報のみに限定せず、電話機１００と通話相手の電話機との間で呼接続を確立した場合に取得可能な各種情報を通話履歴として通話履歴記憶部１１に記憶することが可能である。音声データは、通話時や留守電時などに通話相手が発した音声をデジタルファイルにした音声データである。声紋情報は、通話相手を一意に特定するための情報であり、音声データを基に作成した情報である。なお、音声データであっても通話相手を特定することが可能である。通話履歴記憶部１１は、着信用と発信用とに区別して複数設けてもよい。また、着信通話履歴と発信通話履歴とを１つで管理してもよい。また、声紋情報を作成した後、音声データを削除してもよい。
【００２３】
電話帳記憶部１２は、電話番号などで構成される電話帳を記憶する。本実施形態の電話帳記憶部１２は、図３に示すように、名前、電話番号、声紋情報を対応付けて記憶する。なお、電話帳記憶部１２には、住所、メールアドレス、写真などの情報を記憶することも可能である。
【００２４】
本実施形態の電話機１００は、通話履歴記憶部１１、電話帳記憶部１２を有しているため、通話履歴記憶部１１、電話帳記憶部１２に記憶された情報を用いて図４に示す通話履歴画面や図５に示す電話帳画面を表示部４０に表示することができる。図４は、通話履歴画面例を示し、図５は、電話帳画面例を示す。
【００２５】
本実施形態の通話履歴記憶部１１は、図２に示すように、電話番号と日時情報とを通話履歴として記憶している。このため、図４に示す通話履歴画面のように電話番号と日時情報を表示することができる。なお、通話履歴画面に表示される名前は、通話履歴の電話番号が電話帳記憶部１２に記憶されている場合に、電話帳記憶部１２に記憶されている電話番号に対応する名前が通話履歴画面に表示される。
【００２６】
また、本実施形態の電話帳記憶部１２は、図３に示すように、電話番号と名前とを記憶している。このため、図５に示す電話帳画面のように名前やその名前に対応する電話番号を表示することができる。図５（ａ）は、電話帳記憶部１２に記憶された『か』行の名前の一覧が表示された例を示しており、図５（ｂ）は、『工藤  進』に対応付けられた自宅と携帯との２つの電話番号が表示された例を示している。
【００２７】
本実施形態の制御部２０は、電話番号取得部２１、音声データ作成部２２、声紋情報作成部２３、登録部２４、通知部２５を有して構成する。
【００２８】
電話番号取得部２１は、通話相手の電話番号を取得し、日時情報と対応付けて通話履歴記憶部１１に登録する。電話番号の取得方法は特に限定せず、任意の方法で取得することが可能である。例えば、電話番号取得部２１は、発信または着信した際の電話番号を取得する。ただし、通話相手が非通知などの設定の場合は、電話番号を取得できないため、電話番号を非通知として通話履歴記憶部１１に登録する。
【００２９】
音声データ作成部２２は、通話相手の音声データを取得し、電話番号に対応付けて通話履歴記憶部１１に登録する。音声データは、通話時に通話相手の音声を録音することで取得することができる。また、留守電時に通話相手の音声を録音することで取得することができる。
【００３０】
声紋情報作成部２３は、通話履歴記憶部１１に登録された音声データを基に、通話相手を一意に特定することが可能な声紋情報を作成し、電話番号に対応付けて通話履歴記憶部１１に登録する。声紋情報の作成方法は特に限定せず、任意の方法で作成することができる。
【００３１】
声紋情報は、音高、周波数特性を含む喉や口の大きさ、形状などの解剖学的な特徴に起因する特徴量、話す速度やスタイルといった環境に起因する特徴量を含み、音声データの一部または全体から抽出して作成することができる。また、声紋情報は、声紋情報に使用する単語や文章を予め定めておき、その予め定めた単語や文章を音声データから抽出し、その抽出した単語や文章を基に声紋情報を作成することも可能である。
【００３２】
登録部２４は、電話帳記憶部１２に各種情報を登録したり、電話帳記憶部１２に記憶されている各種情報を編集したりする。例えば、電話帳記憶部１２に電話番号を新規に登録したりする。また、電話帳記憶部１２に既に記憶されている電話番号に対して新たな電話番号を追加したりする。また、電話帳記憶部１２に既に記憶されている電話番号を別の電話番号に変更したりする。
【００３３】
通知部２５は、各種アラートを出力してユーザに通知する。アラートは、例えば、ユーザに注意や警告の内容、現在状況の説明などを示す情報であり、音声出力部７０からアラート内容の音声やアラート音を出力してユーザに通知したり、表示部４０にアラート内容やアラート内容に対応するマークの表示を出力してユーザに通知したりする。
【００３４】
＜本実施形態の電話機１００の処理動作例＞
次に、図６〜図１１を参照しながら、本実施形態の電話機１００の処理動作例について説明する。図６は、通話履歴記憶部１１に声紋情報を登録する際の処理動作例を示す図である。図７、図８は、通話履歴記憶部１１に登録した声紋情報を電話帳記憶部１２に登録する際の処理動作例を示す図である。図９は、新規の電話番号を電話帳記憶部１２に登録する際の処理動作例を示す図である。図１０は、追加の電話番号を電話帳記憶部１２に登録する際の処理動作例を示す図である。図１１は、電話帳記憶部１２の電話番号を変更する際の処理動作例を示す図である。
【００３５】
＜通話履歴記憶部１１に声紋情報を登録する際の処理動作例＞
まず、図６を参照しながら、通話履歴記憶部１１に声紋情報を登録する際の処理動作例について説明する。なお、図６の処理動作例は、着信動作時の処理動作を例に説明する。ただし、発信動作時に行うことも可能である。
【００３６】
電話機１００が着信し、電話機１００が通話相手の電話機と呼接続を確立した場合に、通話相手の電話機との間で通話を開始する。
【００３７】
この時、電話番号取得部２１は、通話相手の電話番号を取得し、着信時の日時情報と対応付けて通話履歴記憶部１１に登録する（ステップS1）。
【００３８】
また、音声データ作成部２２は、通話相手の音声データを録音し、通話履歴の電話番号と対応付けて通話履歴記憶部１１に登録する（ステップS2）。音声データは、通話と同時並行で通話履歴記憶部１１に登録するか、通話が終了した際に通話履歴記憶部１１に登録する。
【００３９】
次に、声紋情報作成部２３は、通話履歴記憶部１１に登録された音声データを基に声紋情報を作成し、通話履歴の電話番号と対応付けて通話履歴記憶部１１に登録する（ステップS3）。声紋情報の作成方法は、特に限定せず、任意の方法で作成することができる。声紋情報作成部２３は、例えば、通話履歴記憶部１１の日時情報が一番最新の音声データを基に声紋情報を作成し、その作成した声紋情報を通話履歴記憶部１１に登録するようにしても良い。また、通話履歴記憶部１１に声紋情報が対応付けて登録されていない音声データを基に声紋情報を作成し、その作成した声紋情報を通話履歴記憶部１１に登録するようにしても良い。
【００４０】
これにより、通話履歴記憶部１１は、電話番号、日時情報、音声データ、声紋情報を対応付けて記憶することができる。
【００４１】
＜声紋情報を電話帳記憶部１２に登録する際の処理動作例＞
次に、図７、図８を参照しながら、声紋情報を電話帳記憶部１２に登録する際の処理動作例について説明する。電話機１００が図６に示す処理動作を行い、通話履歴記憶部１１に声紋情報が登録されると、登録部２４は、図７に示す処理を開始する。
【００４２】
まず、登録部２４は、電話帳記憶部１２を参照し、図６に示す処理で通話履歴記憶部１１に登録した電話番号と同じ電話番号があるか電話帳記憶部１２を検索する（ステップA1）。
【００４３】
同じ電話番号がある場合は（ステップA2/Yes）、電話番号に対応付けて声紋情報が電話帳記憶部１２に記憶されているか判定する（ステップA3）。声紋情報が電話帳記憶部１２に記憶されていない場合は（ステップA3/No）、通話履歴記憶部１１に登録した声紋情報を電話番号に対応付けて電話帳記憶部１２に登録し（ステップA4）、処理を終了する（End）。これにより、本実施形態の電話機１００は、通話履歴記憶部１１に登録した声紋情報を電話帳記憶部１２に自動的に登録することができる。
【００４４】
また、電話番号に対応付けて声紋情報が電話帳記憶部１２に記憶されている場合は（ステップA3/Yes）、通話履歴記憶部１１に登録した声紋情報と、電話帳記憶部１２に記憶されている声紋情報と、を照合し、双方の声紋情報が同一人物の声紋情報か否かを判定する（ステップA5）。双方の声紋情報が同一人物の声紋情報か否かの判定は、例えば、双方の声紋情報の類似度を照合したり、また、双方の声紋情報の特徴部分の一致度を照合したりして判定する。双方の声紋情報が同一人物の声紋情報である照合結果の場合は（ステップA6/Yes）、通知部２５は、双方の声紋情報が同一人物の声紋情報である旨のアラートを通知する。そして、登録部２４は、通話履歴記憶部１１に登録した声紋情報を、電話帳記憶部１２に既に記憶されている声紋情報と同じグループで登録する（ステップA7）。アラートとしては、例えば、「○○さん（電話番号に対応付けて電話帳記憶部１２に記憶されている名前を意味する）の声紋情報を電話帳に新たに追加します」などのアラートがあげられる。なお、双方の声紋情報が同一人物の声紋情報である場合は、通話履歴記憶部１１に登録した声紋情報を電話帳記憶部１２に登録しないようにすることも可能である。ただし、双方の声紋情報が同一人物の声紋情報であっても、通話履歴記憶部１１に登録した声紋情報を電話帳記憶部１２に登録することで、声紋情報のサンプル数が多くなるため、声紋情報の照合精度を更に高めることができる。なお、ステップA7で行う電話帳記憶部１２への声紋情報の登録は、「○○さんの声紋情報を電話帳に新たに追加しますか？」などのアラートをユーザに通知した後に、操作部５０からのユーザ操作などにより声紋情報の登録要求を受け付けた場合に、電話帳記憶部１２に声紋情報を登録するようにすることも可能である。
【００４５】
また、双方の声紋情報が同一人物の声紋情報でない照合結果の場合は（ステップA6/No）、通知部２５は、双方の声紋情報が異なる人物の声紋情報である旨のアラートを通知する。そして、登録部２４は、通話履歴記憶部１１に登録した声紋情報を、電話帳記憶部１２に既に記憶されている声紋情報と異なる別のグループで登録する（ステップA8）。アラートとしては、例えば、「○○さん（電話番号に対応付けて電話帳記憶部１２に記憶されている名前を意味する）と異なる人物の声紋情報を電話帳に追加します」などのアラートがあげられる。なお、ステップA8で行う電話帳記憶部１２への声紋情報の登録は、「○○さんの声紋情報と異なる人物の声紋情報を電話帳に登録しますか？」などのアラートをユーザに通知した後に、操作部５０からのユーザ操作などにより声紋情報の登録要求を受け付けた場合に、電話帳記憶部１２に声紋情報を登録するようにすることも可能である。
【００４６】
本実施形態では、双方の声紋情報が異なる人物の声紋情報である場合は、通話履歴記憶部１１に登録した声紋情報を、電話帳記憶部１２に既に記憶されている声紋情報と異なる別のグループで登録するようにしている。これにより、１つの電話番号に対して複数のグループで区分けされた声紋情報を紐付けて電話帳記憶部１２で管理することができる。例えば、自宅の電話番号は、お父さん、お母さん、子供などの複数の人が使用する。このため、１つの共通の電話番号から異なる人が電話をしてくる場合がある。本実施形態では、１つの電話番号に対して複数のグループで区分けされた声紋情報を紐付けて電話帳記憶部１２で管理することになる。このため、１つの共通の電話番号であっても、声紋情報を用いて照合することで、お父さんが電話したのか、お母さんが電話したのか、子供が電話したのかを特定することができる。ただし、人を特定するためには、各グループに対してユーザが名前を登録する操作が必要になる。
【００４７】
なお、ステップA2において、通話履歴記憶部１１に登録した電話番号と同じ電話番号が電話帳記憶部１２にない場合は（ステップA2/No）、図８に示すフローに移行する。そして、通話履歴記憶部１１の過去の通話履歴（図６のフローで登録した電話番号の通話履歴以外の他の通話履歴を意味する）に同じ電話番号があるか検索する（ステップA11）。
【００４８】
過去の通話履歴に同じ電話番号がある場合は（ステップA12/Yes）、通話履歴記憶部１１に登録した声紋情報と、過去の通話履歴の上記同じ電話番号に対応付けられた声紋情報と、を照合し、双方の声紋情報が同一人物の声紋情報か否かを判定する（ステップA13）。そして、双方の声紋情報が同一人物の声紋情報でない照合結果の場合は（ステップA14/No）、通知部２５は、過去の通話履歴に同じ電話番号で異なる人物の声紋情報の通話者がいる旨をアラートで通知する（ステップA15）。アラートとしては、例えば、「通話者（図６のフローで通話した通話者を意味する）は、過去の通話履歴の□月□日（通話履歴記憶部１１に記憶されている日時情報を意味する）に通話した時の電話番号と同じで、その時の通話者と異なる人物の声紋情報の通話者です」などのアラートがあげられる。
【００４９】
また、双方の声紋情報が同一人物の声紋情報である照合結果の場合は（ステップA14/Yes）、通知部２５は、過去の通話履歴に同じ電話番号で同一人物の声紋情報の通話者がいる旨をアラートで通知する（ステップA16）。アラートとしては、例えば、「通話者（図６のフローで通話した通話者を意味する）は、過去の通話履歴の□月□日（通話履歴記憶部１１に記憶されている日時情報を意味する）に通話した時の電話番号と同じで、その時の通話者と同一人物の声紋情報の通話者です」などのアラートがあげられる。
【００５０】
また、ステップA12において、通話履歴記憶部１１の過去の通話履歴に同じ電話番号がない場合は（ステップA12/No）、電話帳記憶部１２を参照し、通話履歴記憶部１１に登録した声紋情報と同一人物の声紋情報があるか電話帳記憶部１２を検索する（ステップA17）。電話帳記憶部１２に同一人物の声紋情報がある場合は（ステップA18/Yes）、通知部２５は、電話帳に同一人物の声紋情報の通話者がいる旨をアラートで通知する（ステップA19）。アラートとしては、例えば、「通話者（図６のフローで通話した通話者を意味する）は、電話帳に登録されている○○さん（声紋情報に対応付けて電話帳記憶部１２に記憶されている名前を意味する）の声紋情報と同一人物の声紋情報の通話者です」などのアラートがあげられる。
【００５１】
また、ステップA18において、電話帳記憶部１２に同一人物の声紋情報がない場合は（ステップA18/No）、通話履歴記憶部１１を参照し、過去の通話履歴に同一人物の声紋情報があるか通話履歴記憶部１１を検索する（ステップA20）。過去の通話履歴に同一人物の声紋情報がある場合は（ステップA21/Yes）、通知部２５は、過去の通話履歴に同一人物の声紋情報の通話者がいる旨をアラートで通知する（ステップA22）。アラートとしては、例えば、「通話者（図６のフローで通話した通話者を意味する）は、電話帳に登録されてなく、過去の通話履歴の□月□日（通話履歴記憶部１１に記憶されている日時情報を意味する）に通話した時の声紋情報と同一人物の声紋情報の通話者です」などのアラートがあげられる。
【００５２】
また、過去の通話履歴に同一人物の声紋情報がない場合は（ステップA21/No）、通知部２５は、電話帳にも過去の通話履歴にも同一人物の声紋情報の通話者がいない旨をアラートで通知する（ステップA23）。アラートとしては、例えば、「通話者（図６のフローで通話した通話者を意味する）は、電話帳にも過去の通話履歴にも声紋情報が存在しない通話者です」などのアラートがあげられる。
【００５３】
＜新規の電話番号を電話帳記憶部１２に登録する際の処理動作例＞
次に、図９を参照しながら、新規の電話番号を電話帳記憶部１２に登録する際の処理動作例について説明する。
【００５４】
登録部２４は、新規の電話番号を電話帳記憶部１２に登録するための新規登録要求を受け付けた場合に（ステップB1）、通話履歴記憶部１１を参照し、新規登録要求を受け付けた新規の電話番号が通話履歴記憶部１１にあるか検索する（ステップB2）。新規登録要求は、例えば、ユーザが操作部５０などを操作して通話履歴の電話番号を電話帳記憶部１２に新規に登録するための登録要求操作を行った場合に発生する。また、ユーザが操作部５０などを操作して新規の電話番号を入力し、その入力した新規の電話番号を電話帳記憶部１２に新規に登録するための登録要求操作を行った場合に発生する。
【００５５】
新規登録要求を受け付けた新規の電話番号が通話履歴記憶部１１にない場合は（ステップB3/No）、通知部２５は、新規の電話番号に対応する声紋情報がない旨のアラートを通知する（ステップB4）。このアラートは、ステップB1において、通話履歴にない新規の電話番号の新規登録要求を行った場合に発生する。なお、新規の電話番号が通話履歴記憶部１１にない場合であっても、ユーザが操作部５０を操作して新規の電話番号や名前を電話帳記憶部１２に登録することが可能である。この場合は、電話帳記憶部１２には、名前と、電話番号と、が対応付けて登録されることになる。
【００５６】
新規登録要求を受け付けた新規の電話番号が通話履歴記憶部１１にある場合は（ステップB3/Yes）、通話履歴記憶部１１を参照し、その新規の電話番号に対応付けられた声紋情報を通話履歴記憶部１１から取得する。そして、その取得した声紋情報を新規の電話番号と対応付けて電話帳記憶部１２に新規に登録する（ステップB5）。なお、新規の電話番号に対応付けられた声紋情報を通話履歴記憶部１１から複数取得した場合は、その複数の声紋情報同士を照合し、同一人物の声紋情報と判定した声紋情報ごとに区分けして各グループに登録する。例えば、全ての声紋情報が同一人物の声紋情報と判定した場合は、全ての声紋情報を１つのグループに登録する。また、同一人物の声紋情報と判定した声紋情報が２つに区分けされた場合は、各々の声紋情報を２つのグループに区分けして登録する。
【００５７】
次に、登録部２４は、通話履歴記憶部１１と電話帳記憶部１２とを参照し、電話帳記憶部１２に新規に登録した新規の電話番号と異なる別の電話番号で、電話帳記憶部１２に新規に登録した新規の声紋情報と同一人物の声紋情報が通話履歴記憶部１１、電話帳記憶部１２にあるか検索する（ステップB6）。新規の電話番号と異なる別の電話番号で、新規の声紋情報と同一人物の声紋情報がある検索結果の場合は（ステップB7/Yes）、その別の電話番号を通話履歴記憶部１１や電話帳記憶部１２から取得する。そして、その取得した別の電話番号を新規の電話番号と対応付け、通知部２５は、新規の電話番号の声紋情報と同一人物の声紋情報の別の電話番号がある旨のアラートを通知する（ステップB8）。これにより、電話機１００を使用するユーザは、電話帳記憶部１２に新規に登録した新規の電話番号の声紋情報と同一人物の声紋情報の別の電話番号があることを把握することができる。
【００５８】
例えば、あるユーザＡが会社の電話番号と自宅の電話番号とから電話機１００に電話をしたと仮定する。この場合、通話履歴記憶部１１には、会社の電話番号と、自宅の電話番号と、が同じユーザＡの声紋情報に対応付けて登録されることになる。この状態で、電話機１００を使用するユーザが、ユーザＡの会社の電話番号を新規に電話帳記憶部１２に登録した場合は、その会社の電話番号の声紋情報と同一人物の声紋情報であるユーザＡの自宅の電話番号があることを例えば表示部４０で把握することができる。なお、新規の電話番号に対応付けて別の電話番号を表示部４０に表示するだけでなく、新規の電話番号に対応付けて別の電話番号を電話帳記憶部１２に登録することも可能である。この登録は、自動的に登録しても良く、また、ユーザ操作により登録するようにしても良い。新規の電話番号に対応付けて別の電話番号を登録する場合は、新規の電話番号は、メインの電話番号になり、別の電話番号は、メインの電話番号に紐付けられたサブの電話番号になる。
【００５９】
なお、新規の電話番号の声紋情報と同一人物の声紋情報である別の電話番号を通話履歴記憶部１１から取得し、電話帳記憶部１２からは取得できなかった場合は、例えば、「○○さん（電話帳記憶部１２に新規に登録した電話番号の名前を意味する）とは、□月□日（通話履歴に記憶された日時情報を意味する）に、電話帳に登録されていない別の電話番号で通話しています」とのアラートを通知するようにしても良い。
【００６０】
また、新規の電話番号と異なる別の電話番号で、新規の声紋情報と同一人物の声紋情報がない検索結果の場合は（ステップB7/No）、通知部２５は、新規の電話番号の声紋情報と同一人物の声紋情報の別の電話番号がない旨のアラートを通知する（ステップB9）。アラートしては、例えば、「○○さん（電話帳記憶部１２に新規に登録した電話番号の名前を意味する）とは、別の電話番号で通話したことがありません」とのアラートがあげられる。
【００６１】
＜追加の電話番号を電話帳記憶部１２に登録する際の処理動作例＞
次に、図１０を参照しながら、追加の電話番号を電話帳記憶部１２に登録する際の処理動作例について説明する。
【００６２】
登録部２４は、追加の電話番号を電話帳記憶部１２に登録するための追加登録要求を受け付けた場合に（ステップC1）、通話履歴記憶部１１を参照し、追加登録要求を受け付けた追加の電話番号が通話履歴記憶部１１にあるか検索する（ステップC2）。追加登録要求は、例えば、ユーザが操作部５０などを操作して通話履歴の電話番号を電話帳記憶部１２に追加で登録するための登録要求操作を行った場合に発生する。また、ユーザが操作部５０などを操作して追加の電話番号を入力し、その入力した追加の電話番号を電話帳記憶部１２に追加で登録するための登録要求操作を行った場合に発生する。
【００６３】
追加登録要求を受け付けた追加の電話番号が通話履歴記憶部１１にない場合は（ステップC3/No）、通知部２５は、追加の電話番号に対応する声紋情報がない旨のアラートを通知する（ステップC4）。アラートとしては、例えば、「追加する電話番号は、今まで通話したことがありません」などのアラートがあげられる。このアラートは、ステップC1において、通話履歴にない電話番号の追加登録要求を行った場合に発生する。なお、追加の電話番号が通話履歴記憶部１１にない場合であっても、ユーザが操作部５０を操作して追加の電話番号を電話帳記憶部１２に登録することが可能である。この場合は、電話帳記憶部１２に既に記憶されている追加対象の電話番号に対して追加の電話番号を対応付けて登録する。この場合、追加の電話番号は、追加対象の電話番号に紐付いて登録されることになる。
【００６４】
追加登録要求を受け付けた追加の電話番号が通話履歴記憶部１１にある場合は（ステップC3/Yes）、その追加の電話番号に対応付けられた声紋情報を通話履歴記憶部１１から取得する（ステップC5）。なお、追加の電話番号に対応付けられた声紋情報が複数ある場合は、複数の声紋情報を取得しても良い。また、電話帳記憶部１２を参照し、追加の電話番号を追加する追加対象の電話番号に対応付けられている声紋情報を電話帳記憶部１２から取得する（ステップC6）。そして、通話履歴記憶部１１から取得した声紋情報と、電話帳記憶部１２から取得した声紋情報と、を照合し、双方の声紋情報が同一人物の声紋情報か否かを判定する（ステップC7）。
【００６５】
双方の声紋情報が同一人物の声紋情報である照合結果の場合は（ステップC8/Yes）、追加の電話番号を追加対象の電話番号に対応付けて電話帳記憶部１２に登録する。また、通話履歴記憶部１１から取得した声紋情報を電話帳記憶部１２に登録する（ステップC9）。
【００６６】
また、双方の声紋情報が同一人物の声紋情報でない照合結果の場合は（ステップC8/No）、通知部２５は、追加の電話番号の声紋情報が追加対象の電話番号の声紋情報の人物と異なる旨のアラートを通知する（ステップC10）。アラートとしては、例えば、「追加する電話番号の声紋情報は、追加対象の電話番号の○○さん（電話帳記憶部１２に記憶されている追加対象の電話番号の名前を意味する）とは異なります」などのアラートがあげられる。
【００６７】
アラート通知後に、ユーザが操作部５０を操作して追加の電話番号を電話帳記憶部１２に登録するための登録操作を行った場合は、電話番号を追加すると判断し（ステップC11/Yes）、追加の電話番号を注意が必要な注意対象電話番号のグループとして声紋情報と対応付けて電話帳記憶部１２に登録する（ステップC12）。
【００６８】
また、ユーザが操作部５０を操作して追加の電話番号を電話帳記憶部１２に登録しない登録取消操作を行った場合は、電話番号を追加しないと判断し（ステップC11/No）、追加の電話番号の電話帳記憶部１２への登録を取り消す（ステップC13）。
【００６９】
なお、双方の声紋情報が同一人物の声紋情報でない照合結果の場合は（ステップC8/No）、自動的に、追加の電話番号を注意が必要な注意対象電話番号のグループとして声紋情報と対応付けて電話帳記憶部１２に登録するようにしても良い（ステップC12）。
【００７０】
なお、ステップC12で注意対象電話番号のグループとして電話番号を登録した場合は、予防処理を行う。
【００７１】
予防処理としては、例えば、以下の方法がある。
追加対象の電話番号に自動的に電話をかける。
追加対象の電話番号に対応付けられた声紋情報と同一人物の声紋情報の電話番号を通話履歴記憶部１１や電話帳記憶部１２から抽出し、その抽出した電話番号に自動的に電話をかける。
予め規定されている電話番号に自動的に電話をかける。
【００７２】
なお、ステップC4においてアラートを通知した場合は、追加の電話番号を注意が必要な注意対象電話番号のグループとして声紋情報と対応付けて電話帳記憶部１２に登録し（ステップC12）、予防処理を行うようにすることも可能である。
【００７３】
その後、注意対象電話番号のグループに登録された電話番号と同じ電話番号から着信があると、その着信の通話相手の声紋情報が、電話帳記憶部１２に記憶されている追加対象の電話番号に対応付けられた声紋情報と、注意対象電話番号に対応付けられた声紋情報と、のどちらに該当するかを判定し、注意対象電話番号に対応付けられた声紋情報に該当する場合は、注意電話番号である旨のアラートを通知する。アラートとしては、例えば、「通話相手は、○○さん（追加対象の電話番号に対応付けられた名前を意味する）とは違う人ですが、大丈夫ですか？」とのアラートがあげられる。なお、注意対象電話番号のグループに登録された電話番号と同じ電話番号から着信があった場合、声紋情報を判定せずに、注意電話番号である旨のアラートを通知してもよい。
【００７４】
＜電話帳記憶部１２の電話番号を変更する際の処理動作例＞
次に、図１１を参照しながら、電話帳記憶部１２の電話番号を変更する際の処理動作例について説明する。
【００７５】
登録部２４は、電話帳記憶部１２に既に記憶されている電話番号を別の電話番号に変更する変更要求を受け付けた場合に（ステップD1）、通話履歴記憶部１１を参照し、変更後の電話番号が通話履歴記憶部１１にあるか検索する（ステップC2）。変更要求は、例えば、ユーザが操作部５０などを操作し、電話帳記憶部１２に既に記憶されている電話番号を通話履歴の別の電話番号に変更するための変更要求操作を行った場合に発生する。また、ユーザが操作部５０などを操作して変更の電話番号を入力し、電話帳記憶部１２に既に記憶されている電話番号を別の電話番号に変更するための変更要求操作を行った場合に発生する。
【００７６】
変更後の電話番号が通話履歴記憶部１１にない場合は（ステップC3/No）、通知部２５は、変更後の電話番号に対応する声紋情報がない旨のアラートを通知する（ステップD4）。アラートとしては、例えば、「変更する電話番号は、今まで通話したことがありません」などのアラートがあげられる。このアラートは、ステップD1において、通話履歴にない別の電話番号に変更するための変更要求を行った場合に発生する。
【００７７】
変更後の電話番号が通話履歴記憶部１１にある場合は（ステップD3/Yes）、その変更後の電話番号に対応付けられた声紋情報を通話履歴記憶部１１から取得する（ステップD5）。なお、変更後の電話番号に対応付けられた声紋情報が複数ある場合は、複数の声紋情報を取得しても良い。また、電話帳記憶部１２を参照し、変更対象の電話番号に対応付けられている声紋情報を電話帳記憶部１２から取得する（ステップD6）。そして、通話履歴記憶部１１から取得した声紋情報と、電話帳記憶部１２から取得した声紋情報と、を照合し、双方の声紋情報が同一人物の声紋情報か否かを判定する（ステップD7）。
【００７８】
双方の声紋情報が同一人物の声紋情報である照合結果の場合は（ステップD8/Yes）、電話帳記憶部１２に既に記憶されている電話番号を別の電話番号に変更する。また、通話履歴記憶部１１から取得した声紋情報を変更後の電話番号に対応付けて電話帳記憶部１２に登録する（ステップD9）。
【００７９】
また、双方の声紋情報が同一人物の声紋情報でない照合結果の場合は（ステップD8/No）、通知部２５は、変更後の電話番号の声紋情報が変更対象の電話番号の声紋情報の人物と異なる旨のアラートを通知する（ステップD10）。アラートとしては、例えば、「変更する電話番号の声紋情報は、変更対象の電話番号の○○さん（電話帳記憶部１２に記憶されている変更対象の電話番号の名前を意味する）とは異なります」などのアラートがあげられる。
【００８０】
また、双方の声紋情報が同一人物の声紋情報でない照合結果の場合は（ステップD8/No）、電話帳記憶部１２の変更対象の電話番号は変更せずに、変更後の電話番号を注意が必要な注意対象電話番号のグループとして声紋情報と対応付けて電話帳記憶部１２に登録する（ステップD11）。そして、予防処理を行う。
【００８１】
その後、注意対象電話番号のグループに登録された電話番号と同じ電話番号から着信があると、その着信の通話相手の声紋情報が、電話帳記憶部１２に記憶されている追加対象の電話番号に対応付けられた声紋情報と、注意対象電話番号に対応付けられた声紋情報と、のどちらに該当するかを判定し、注意対象電話番号に対応付けられた声紋情報に該当する場合は、注意電話番号である旨のアラートを通知する。アラートとしては、例えば、「通話相手は、○○さん（追加対象の電話番号に対応付けられた名前を意味する）とは違う人ですが、大丈夫ですか？」とのアラートがあげられる。なお、注意対象電話番号のグループに登録された電話番号と同じ電話番号から着信があった場合、声紋情報を判定せずに、注意電話番号である旨のアラートを通知してもよい。
【００８２】
なお、上述した図１１に示す電話番号の変更処理は予めできないようにしてもよい。
【００８３】
本実施形態の電話機１００は、上述した各種処理動作を行うことで、以下のケースに好適となる。
【００８４】
＜ケース＞
詐欺師は、高校名簿などを何かしらの方法で取得する。そして、詐欺師は、高校名簿などを参照し、息子の実家宅に携帯電話番号で電話し、実家宅の通話者（例えば、親）に対して「○○（息子の名前）だけど、携帯電話番号を替えたので電話帳の電話番号を変更してほしい」と通話し、一度電話を切る。通話者は、見知らぬ携帯電話番号を息子の新たな携帯電話番号と認識して電話帳を更新する。その後、詐欺師は、その携帯電話番号で通話者に対して再度電話をし、「○○（息子の名前）だけど、お金を振り込んでほしい」と通話する。
【００８５】
上記のケースは、通話者が見知らぬ携帯電話番号を息子の新たな携帯電話番号として電話帳を更新してしまうと、その後にその携帯電話番号から電話がかかってきた場合は、息子の名前がディスプレイなどに表示され、息子と誤認識してお金を振り込んでしまう場合が想定される。
【００８６】
本実施形態では、電話帳記憶部１２に息子の電話番号と対応付けて声紋情報を予め登録しておくことで、詐欺師が息子に成りすまして見知らぬ携帯電話番号から電話しても、詐欺師の声紋情報が息子の声紋情報と合致しないため、息子と誤認識することを防止することができる。また、通話履歴記憶部１１に息子の声紋情報が登録されている場合は、詐欺師が息子に成りすまして見知らぬ携帯電話番号から電話しても、詐欺師の声紋情報が息子の声紋情報と合致しないため、息子と誤認識することも防止することができる。
【００８７】
＜本実施形態の電話機１００の作用・効果＞
このように、本実施形態の電話機１００は、通話相手の電話番号と通話相手の声を特定する声紋情報とを対応付けて通話履歴記憶部１１に記憶する。そして、通話履歴記憶部１１に記憶された通話相手の電話番号と同じ電話番号が電話帳記憶部１２に記憶されているか電話帳記憶部１２を検索する。そして、通話相手の電話番号と同じ電話番号が電話帳記憶部１２に記憶されている場合は、通話履歴記憶部１１にて通話相手の電話番号に対応付けられている声紋情報を、電話帳記憶部１２の通話相手の電話番号と同じ電話番号に対応付けて登録する。これにより、通話履歴記憶部１１に記憶した声紋情報を電話帳記憶部１２に効率的に記憶することができる。
【００８８】
また、本実施形態の電話機１００は、通話履歴記憶部１１や電話帳記憶部１２に声紋情報を記憶しているため、通話相手の声紋情報と、通話履歴記憶部１１や電話帳記憶部１２に記憶された声紋情報と、を照合することで、通話相手を特定することができる。その結果、成りすましなどの詐欺行為を防止することができる。
【００８９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００９０】
例えば、上記実施形態では、図１に示すように、電話機１００が電話帳記憶部１２を有し、電話機１００が電話帳管理装置として機能している。しかし、例えば、図１２に示すように、ネットワークＮＷのサーバ２００に電話帳記憶部１２を有し、サーバ２００が電話帳管理装置として機能するようにすることも可能である。図１２に示す構成の場合は、上記実施形態で電話機１００が行っていた各種処理動作をサーバ２００が行うことで電話帳記憶部１２に声紋情報を登録することができる。また、サーバ２００が電話機１００に対して各種アラートを通知することができる。なお、図１２に示す構成の場合は、電話機１００がネットワークＮＷを介してサーバ２００にアクセスし、サーバ２００の電話帳記憶部１２に記憶されている情報を参照して電話を行うことになる。
【００９１】
また、図１２に示す構成は、サーバ２００が通話履歴記憶部１１、電話帳記憶部１２を有して構成し、サーバ２００が上記実施形態と同様な処理動作を行うことになる。しかし、電話機１００が通話履歴記憶部１１を有して構成し、サーバ２００が電話帳記憶部１２を有して構成し、電話機１００とサーバ２００との少なくとも一方の装置が上記実施形態と同様な処理動作を行うようにすることも可能である。例えば、電話機１００が図６に示す処理動作を行い、サーバ２００が図７〜図１１に示す処理動作を行うようにすることも可能である。これにより、電話機１００やサーバ２００が上記実施形態と同様な処理動作を装置単体で行うのではなく、電話機１００とサーバ２００とのシステムで上記実施形態と同様な処理動作を行うようにすることができる。その結果、電話機１００とサーバ２００とが電話帳管理システムとして機能することができる。
【００９２】
また、上記実施形態において通話履歴記憶部１１と電話帳記憶部１２との両方に記憶される声紋情報は、１つの声紋情報のファイルを各記憶部１１、１２から論理的に対応付けして共有してもよく、また、各記憶部１１、１２ごとに声紋情報のファイルを別々に記憶してもよい。ただし、１つの声紋情報のファイルを各記憶部１１、１２が共有する場合、通話履歴記憶部１１にて、既定の時間や既定の記憶件数、記憶容量を超過し、古い通話履歴を消去する際に、電話帳記憶部１２にも記憶されている声紋情報は消去しないようにする。
【００９３】
また、上記実施形態では、通話履歴記憶部１１に記憶した声紋情報を電話帳記憶部１２に登録し、その声紋情報を用いて声紋情報の照合を行うことにしている。このため、声紋情報を作成した後、通話履歴記憶部１１の音声データを削除してもよい。しかし、音声データであっても人の声を一意に特定することが可能である。このため、通話履歴記憶部１１に記憶した音声データを電話帳記憶部１２に登録し、その音声データを用いて照合を行うことも可能である。
【００９４】
また、上記実施形態の電話機１００を構成する各部における制御動作は、ハードウェア、ソフトウェア、あるいは、両者の複合構成を用いて実行することも可能である。
【００９５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００９６】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００９７】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００９８】
また、上記実施形態の電話機１００を構成する各部は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００９９】
１００    電話機
１０    記憶部
１１    通話履歴記憶部
１２    電話帳記憶部
２０    制御部
２１    電話番号取得部
２２    音声データ作成部
２３    声紋情報作成部
２４    登録部
２５    通知部
３０    通話部
４０    表示部
５０    操作部
６０    音声入力部
７０    音声出力部
２００    サーバ
ＮＷ    ネットワーク
【図１】
0005957021.tif 000002
【図２】
0005957021.tif 000003
【図３】
0005957021.tif 000004
【図４】
0005957021.tif 000005
【図５】
0005957021.tif 000006
【図６】
0005957021.tif 000007
【図７】
0005957021.tif 000008
【図８】
0005957021.tif 000009
【図９】
0005957021.tif 000010
【図１０】
0005957021.tif 000011
【図１１】
0005957021.tif 000012
【図１２】
0005957021.tif 000013